(57)【要約】【課題】  ストッパーアームを利用した吊元部での指詰めを防止できるドアの提供。【解決手段】  上枠１と、扉２と、上枠と扉の間に設けたストッパーアーム３とを備え、上枠の下面と扉の上面のいずれか一方に案内溝４が設けてあり、他方にストッパーアームの一端を軸着してあり、案内溝に沿って摺動する摺動部材５にストッパーアームの他端を軸着してあり、摺動部材は、案内溝の底部に向かって突出する突部６を有し、突部は上下動自在で案内溝の底部に向かって付勢してあり、案内溝の底部は、長手方向の中間位置に受け部７を有し、摺動部材が受け部を通過する際に突部と受け部とが当接するものであり、受け部は、案内溝長手方向の両側に突部が当接する傾斜面８ａ，８ｂを有し、吊元側の傾斜面８ａの勾配が戸先側の傾斜面８ｂの勾配よりも急であることを特徴とする。【選択図】      図１
2006090018.tif 000002
【特許請求の範囲】
【請求項１】
上枠と、扉と、上枠と扉の間に設けたストッパーアームとを備え、上枠の下面と扉の上面のいずれか一方に案内溝が設けてあり、他方にストッパーアームの一端を軸着してあり、案内溝に沿って摺動する摺動部材にストッパーアームの他端を軸着してあり、摺動部材は、案内溝の底部に向かって突出する突部を有し、突部は上下動自在で案内溝の底部に向かって付勢してあり、案内溝の底部は、長手方向の中間位置に受け部を有し、摺動部材が受け部を通過する際に突部と受け部とが当接するものであり、突部と受け部のいずれか一方は、案内溝長手方向の両側に突部と受け部の他方が当接する傾斜面を有し、扉を閉じるときに他方と先に当接する側の傾斜面の勾配が反対側の傾斜面の勾配よりも急であることを特徴とするドア。
【請求項２】
上枠と、扉と、上枠と扉の間に設けたストッパーアームとを備え、上枠の下面と扉の上面のいずれか一方に案内溝が設けてあり、他方にストッパーアームの一端を軸着してあり、案内溝に沿って摺動する摺動部材にストッパーアームの他端を軸着してあり、案内溝の底部は、長手方向の中間位置に案内溝の開口に向かって突出する突部を有し、突部は上下動自在で案内溝の開口に向かって付勢してあり、摺動部材は受け部を有し、摺動部材が突部を通過する際に突部と受け部とが当接するものであり、突部と受け部のいずれか一方は、案内溝長手方向の両側に突部と受け部の他方が当接する傾斜面を有し、扉を閉じるときに他方と先に当接する側の傾斜面の勾配が反対側の傾斜面の勾配よりも急であることを特徴とするドア。
【発明の詳細な説明】
【技術分野】
【０００１】
本発明は、扉を閉じる際に吊元部に指を詰める事故を防止できるドアに関する。
【背景技術】
【０００２】
扉がスイング式に開閉するドアにおいては、扉を開けた時に扉の吊元側とドア枠の間に隙間が開くので、その隙間に子供が指を入れ、それを知らずに親が扉を閉め、指が挟まれて怪我をする事故が後を絶たない。このような指詰め事故を防止するための対策として従来は、吊元部にカバーを設けて吊元部の隙間に指が入り難くすることが行われている。しかし、カバーで吊元部全面を覆うことは困難で、指詰めの危険性を全く無くすことはできなかった。
【０００３】
また浴室用ドア等においては、扉を開けた時に扉の戸先側が壁と衝突して壁を傷付けるのを防ぐため、扉の開く角度を規制するストッパーアームを設置することがある。この場合には、上枠の下面と扉の上面のいずれか一方に案内溝が設けられ、他方にストッパーアームの一端が軸着され、案内溝に沿って摺動する摺動部材にストッパーアームの他端が軸着される。特許文献１に記載されているように、摺動部材に案内溝に押し付けるブレーキ体を設け、摺動部材が摺動する際に案内溝との間で摩擦抵抗が生じるようにすれば、扉の開閉に抵抗を与えて扉の急開閉を防止できる。
【特許文献１】特開平１０−８８２１号公報
【発明の開示】
【発明が解決しようとする課題】
【０００４】
しかし、上記のようなブレーキ付きのストッパーアームを設置しても、扉の開閉時に一定の抵抗が与えられるだけなので、吊元部での指詰めを防止できるものではない。本発明は以上に述べた実情に鑑みてなされたものであって、ストッパーアームを利用した吊元部での指詰めを防止できるドアの提供を目的とする。
【課題を解決するための手段】
【０００５】
上記の課題を達成するために請求項１記載の発明によるドアは、上枠と、扉と、上枠と扉の間に設けたストッパーアームとを備え、上枠の下面と扉の上面のいずれか一方に案内溝が設けてあり、他方にストッパーアームの一端を軸着してあり、案内溝に沿って摺動する摺動部材にストッパーアームの他端を軸着してあり、摺動部材は、案内溝の底部に向かって突出する突部を有し、突部は上下動自在で案内溝の底部に向かって付勢してあり、案内溝の底部は、長手方向の中間位置に受け部を有し、摺動部材が受け部を通過する際に突部と受け部とが当接するものであり、突部と受け部のいずれか一方は、案内溝長手方向の両側に突部と受け部の他方が当接する傾斜面を有し、扉を閉じるときに他方と先に当接する側の傾斜面の勾配が反対側の傾斜面の勾配よりも急であることを特徴とする。
【０００６】
請求項２記載の発明によるドアは、上枠と、扉と、上枠と扉の間に設けたストッパーアームとを備え、上枠の下面と扉の上面のいずれか一方に案内溝が設けてあり、他方にストッパーアームの一端を軸着してあり、案内溝に沿って摺動する摺動部材にストッパーアームの他端を軸着してあり、案内溝の底部は、長手方向の中間位置に案内溝の開口に向かって突出する突部を有し、突部は上下動自在で案内溝の開口に向かって付勢してあり、摺動部材は受け部を有し、摺動部材が突部を通過する際に突部と受け部とが当接するものであり、突部と受け部のいずれか一方は、案内溝長手方向の両側に突部と受け部の他方が当接する傾斜面を有し、扉を閉じるときに他方と先に当接する側の傾斜面の勾配が反対側の傾斜面の勾配よりも急であることを特徴とする。
【発明の効果】
【０００７】
請求項１記載の発明によるドアは、扉の開閉に伴って摺動部材が案内溝を往復移動し、摺動部材が案内溝の底部の長手方向中間位置に設けた受け部を通過する際に、摺動部材の突部が受け部に当接して一時的に抵抗が与えられるものであり、その抵抗の強さは、突部と受け部のいずれか一方に、案内溝長手方向の両側に突部と受け部の他方が当接する傾斜面を設け、扉を閉じるときに他方と先に当接する側の傾斜面の勾配を反対側の傾斜面の勾配よりも急にしたことで、扉を閉じる際には抵抗が強く、扉を開けるときには抵抗が弱くなる。この作用により、扉を閉める途中で、扉の開き角度が指詰めの起きるおそれのある角度より小さくなる前に強めの抵抗を発生させ、扉を閉じようとするものに指詰めに対する警告を与え、指詰めを未然に防ぐことができる。反対にドアを開ける際には、抵抗をあまり感じないで開けることができる。また、扉の開閉の際に一時的に抵抗を与えることで、急開閉による扉の衝撃を弱めることができる。
【０００８】
本発明のドアは、請求項２に記載したように、案内溝の方に突部を設け、摺動部材の方に受け部を設けても、請求項１のものと同じように、扉を閉じる際に一時的に強い抵抗を発生させて指詰めに対する注意を促し、扉を開ける際には抵抗をあまり感じないようにすることができる。
【発明を実施するための最良の形態】
【０００９】
以下、本発明の実施の形態を図面に基づいて説明する。図１〜図６は本発明のドアの一実施形態である浴室ドアを示している。このドアは、図４に示すように、上枠１と下枠１０と左右の縦枠１１，１１を枠組みしてなるドア枠１２が浴室と脱衣室の間の開口部に取付けてあり、上下枠１，１０間に扉２がピボット金具１３，１３で回動自在に取付けてある。扉２は、上框１４と下框１５と左右の縦框１６，１６を枠組みしてなる枠にパネル２３を取付けて構成され、浴室側に向かって開くようになっており、上枠１と扉の上框１４間に、扉の開き角度を規制するストッパーアーム３を設けている。
【００１０】
ストッパーアーム周辺の構造について図１から図３に即して詳しく述べると、上枠１の下面には、図１と図２に示すように、下面側が開口した案内溝４を設けてあり、案内溝４内に摺動部材５を備えている。ストッパーアーム３は、一端が扉の上框１４の上面に軸１７で軸着してあり、他端が摺動部材５の下面に軸１８で軸着してある。扉２を開くときには、摺動部材５はストッパーアーム３に引っ張られて案内溝４を戸先側から吊元側に向かって移動し、反対に扉２を閉じるときには、摺動部材５はストッパーアーム３に押されて案内溝４を吊元側から戸先側に向かって移動する。
【００１１】
摺動部材５は、樹脂によりブロック状に形成してあり、上面側に長手方向に溝１９を形成し、該溝１９内に中央部が盛り上がった円弧状の突部６を設けてある。突部６は、板バネを円弧状に曲げた円弧状板バネで形成してあり、板バネ６の両側の端部が摺動部材５に設けた係止部２０に長手方向に移動可能に係止しており、板バネ６は上方から押されると頂部の高さが低くなるように変形して反発する。
【００１２】
案内溝４の底部には、図１に示すように、摺動部材５が移動する範囲の長手方向中間位置に山形の受け部７を取付けてある。受け部７は、案内溝長手方向の両側に板バネ６が当接する傾斜面８ａ，８ｂを有しており、傾斜面は吊元側の傾斜面８ａの勾配が戸先側の傾斜面８ｂの勾配よりも急になっている。受け部７を取付ける位置は、後述するように、扉２を閉じる際に、ドア吊元部の隙間２２に手指が挟まれる角度にまで扉２が閉まる前に、摺動部材５の板バネ６が受け部７の吊元側の傾斜面８ａに当接して抵抗が生ずるような位置とする。案内溝４のさらに吊元側には、ストッパーブロック２１を取付けてある。
【００１３】
本浴室ドアは以上のように構成され、扉２を約９０°まで開いたときに、図６（ｂ）に示すように摺動部材５がストッパーブロック２１に当たり、扉２はそれ以上開かない。扉を約９０°に開いた状態から閉じると、図３に示すように扉２の開き角度が約６０°となったところで、図５（ａ）に示すように、摺動部材５の板バネ６が受け部吊元側の勾配の急な方の傾斜面８ａに当接し、図５（ｂ）に示すように板バネ６が変形して受け部７を乗り越えるときに摺動部材５にブレーキがかかり、扉２の閉じ操作に対して一時的な抵抗が与えられる。この時、ドア吊元部にはまだ十分に広い隙間２２があって手指が挟まれることはなく、扉２が指詰めの起こる角度まで閉まる前に指詰めに対する注意を促し、指詰めを未然に防止できる。扉２を開ける際には、図６（ａ）に示すように、摺動部材５の板バネ６が受け部７の戸先側の傾斜面８ｂに当接して変形するが、戸先側の傾斜面８ｂは吊元側と比べて勾配が緩やかとなっているので、あまり抵抗を感じることなく扉２を開けることができる。
【００１４】
図７は、本発明のドアの別の実施形態を示しており、上述の実施形態のものとは、板バネ６と受け部７の取付が逆になっている。すなわち、案内溝４の底部の長手方向の中間位置には、円弧状の板バネ６を案内溝の開口に向けて付勢して取付けてあり、摺動部材５には、案内溝４の底部に向かって突出した受け部７を取付けてある。受け部７は、案内溝長手方向の両側に傾斜面８ａ，８ｂを有し、戸先側の傾斜面８ｂの勾配が吊元側の傾斜面８ａの勾配よりも急になっている。このように構成しても、扉２を閉じる途中で受け部７の戸先側の勾配の急な斜面８ｂが板バネ６と当接して一時的に強い抵抗が発生し、指詰めに対する注意を促すことができる。扉２を開ける際には、受け部７の吊元側の勾配の緩やかな傾斜面８ａが板バネ６に当接するので、あまり抵抗を感じることなく扉２を開けることができる。
【００１５】
図８は、本発明のドアのさらに別の実施形態を示している。本実施形態では、ストッパーアーム３周辺部の構造が、図１の実施形態と比較して上下関係が逆になっている。すなわち、扉２の上框１４上部に上面側が開口した案内溝４を設け、案内溝４に摺動部材５を移動自在に設けると共に、案内溝４の底部の長手方向中間位置に受け部７を固定して設け、吊元側にストッパーブロック２１を固定して設けてあり、ストッパーアーム３は、端部を上枠１の下面と摺動部材５の上面とに軸着している。摺動部材５には、円弧状の板バネ６を案内溝４の底部に向けて付勢して取付けてあり、受け部７は、案内溝長手方向の両側に傾斜面８ａ，８ｂを有し、吊元側の傾斜面８ａの勾配が戸先側の傾斜面８ｂの勾配よりも急になっている。このように形成しても、図１の実施形態のものと同様に、扉２を閉じる途中で一時的に強い抵抗を発生させて指詰めに対する注意を促し、扉を開けるときには抵抗があまり感じないようにすることができる。本実施形態においても、図７の実施形態のように、板バネ６と受け部７の取付けを逆にすることができる。
【００１６】
以上に述べた実施形態では、受け部７を案内溝長手方向の両側で傾斜面の勾配が異なる山形に形成していたが、図９に示すように、突部６の方を案内溝長手方向の両側で傾斜面の勾配が異なる山形に形成してもよい。この実施形態では、板バネを山形に曲げて形成した山形板バネを突部６としてあり、突部６は、扉を閉じるときに受け部７に先に当接する戸先側の傾斜面２４ｂの勾配を吊元側の傾斜面２４ａの勾配よりも急にしてある。受け部７は、緩やかな円弧状に形成してある。突部６を図７に示すように案内溝４の底部に設ける場合には、吊元側の傾斜面２４ａの勾配を戸先側の傾斜面２４ｂの勾配よりも急にする。
【００１７】
本発明は以上に述べた実施形態に限定されない。突部は、板バネを円弧状や山形に形成したものに限らず、樹脂等で形成し、バネで付勢して上下動自在に摺動部材又は案内溝の底部に取付けてもよい。扉は、丁番で一方の縦枠に回動自在に取付けてもよい。案内溝は、上枠や上框と別体で形成してもよい。受け部または突部に設ける案内溝長手方向両側の傾斜面のうち急な方の傾斜面の勾配は、９０°に近い角度であってもよい。
【図面の簡単な説明】
【００１８】
【図１】本発明に係る浴室ドアのストッパーアーム周辺部を拡大して示す正面図である。
【図２】図１におけるＡ−Ａ断面図である。
【図３】扉を開いた状態で上枠を下から見た図であって、扉を閉じる途中で抵抗が発生するときの状態を示している。
【図４】本発明に係る浴室ドアの浴室側から見た正面図である。
【図５】（ａ）は、扉を閉じる途中で摺動部材の突部が受け部の吊元側の傾斜面と当接した状態を示し、（ｂ）は、摺動部材がさらに戸先側に移動して受け部を通過するときの状態を示している。
【図６】（ａ）は、扉を開ける途中で摺動部材の突部が受け部の戸先側の傾斜面と当接した状態を示し、（ｂ）は、扉を全開にして摺動部材がストッパーブロックに当接した状態を示している。
【図７】本発明のドアの別の実施形態を示すストッパーアーム周辺部の拡大した正面図である。
【図８】本発明のドアのさらに別の実施形態を示すストッパーアーム周辺部の拡大した正面図である。
【図９】本発明のさらに別の実施形態を示す縦断面図であって、扉を閉じる途中の状態を示している。
【符号の説明】
【００１９】
１  上枠
２  扉
３  ストッパーアーム
４  案内溝
５  摺動部材
６  板バネ（突部）
７  受け部
８ａ  受け部の傾斜面（吊元側）
８ｂ  受け部傾斜面（戸先側）
２４ａ  突部の傾斜面（吊元側）
２４ｂ  突部の傾斜面（戸先側）
【図１】
2006090018.tif 000003
【図２】
2006090018.tif 000004
【図３】
2006090018.tif 000005
【図４】
2006090018.tif 000006
【図５】
2006090018.tif 000007
【図６】
2006090018.tif 000008
【図７】
2006090018.tif 000009
【図８】
2006090018.tif 000010
【図９】
2006090018.tif 000011